(57)【要約】      （修正有）【課題】過渡的圧力スパイクを減少させる圧力センサを提供する。【解決手段】緩衝器は、ヘッド部３０２、シャンク部３０４、およびねじ部を含む。シャンク部３０４は、ヘッド部３０２に取り付けられており、シャンク部３０４は、シャンク径３１６を画定する。ねじ部は、シャンク部３０４に取り付けられており、ねじ部は、中心シャフト３２２の周りに巻かれた螺旋状おねじ山３２４を含む。螺旋状おねじ山３２４は、ねじ山径３３６を画定し、中心シャフト３２２は、中心シャフト径３２６を画定する。緩衝器２０６が圧力センサに取り付けられたときに、シャンク部３０４とねじ部が少なくとも１つの流体流路２３２、２３３を画定するように、シャンク径３１６とねじ山径３３６が決められている。【選択図】図５
2020118675.tif 000002
【特許請求の範囲】
【請求項１】
ヘッド部（３０２）、
前記ヘッド部（３０２）に取り付けられたシャンク部（３０４）であって、シャンク径（３１６）を画定するシャンク部（３０４）、ならびに
前記シャンク部（３０４）に取り付けられたねじ部（３０６）であって、前記ねじ部（３０６）が、中心シャフト（３２２）の周りに巻かれた螺旋状おねじ山（３２４）を含み、前記螺旋状おねじ山（３２４）が、ねじ山径（３３６）を画定し、前記中心シャフト（３２２）が、中心シャフト径（３２６）を画定する、ねじ部（３０６）、
を備える緩衝器（２０６）であって、前記緩衝器（２０６）が圧力センサ（２００）内に取り付けられたときに、前記シャンク部（３０４）と前記ねじ部（３０６）が、少なくとも１つの流体流路（２３２，２３３）を画定するように、前記シャンク径（３１６）および前記ねじ山径（３３６）が決められている、緩衝器（２０６）。
【請求項２】
前記ヘッド部（３０２）が、流体の流れを前記少なくとも１つの流体流路（２３２，２３３）に導くように構成されたノッチ（４１４）を画定する、請求項１に記載の緩衝器（２０６）。
【請求項３】
変換器（２０２）、
開口部（２３０）を画定する第１の端部（２１８）および中のねじ部（３０６）を有する継手（２０４）であって、前記継手（２０４）が前記変換器（２０２）に結合され、前記ねじ部（３０６）が、内面（４０２）および前記内面（４０２）に配置された螺旋状めねじ山（４０４）を含み、前記第１の端部（２１８）が、少なくとも１つのノッチ（４１４）をさらに画定する、継手（２０４）、ならびに
前記ねじ部（３０６）の前記開口部（２３０）内に配置された緩衝器（２０６）、
を備える圧力センサ（２００）であって、前記緩衝器（２０６）が、
ヘッド部（３０２）、
前記ヘッド部（３０２）に取り付けられたシャンク部（３０４）であって、シャンク径（３１６）を画定するシャンク部（３０４）、ならびに
前記シャンク部（３０４）に取り付けられたねじ部（３０６）であって、前記ねじ部（３０６）が、中心シャフト（３２２）の周りに巻かれた螺旋状おねじ山（３２４）を含み、前記螺旋状おねじ山（３２４）が、ねじ山径（３３６）を画定し、前記中心シャフト（３２２）が、中心シャフト径（３２６）を画定する、ねじ部（３０６）、
を備え、前記緩衝器（２０６）が前記継手（２０４）内に取り付けられたときに、前記ノッチ（４１４）、前記シャンク部（３０４）、および前記ねじ部（３０６）が、少なくとも１つの流体流路（２３２，２３３）を画定するように、前記シャンク径（３１６）、前記ねじ山径（３３６）、および前記中心シャフト径（３２６）が決められている、圧力センサ（２００）。
【請求項４】
前記第１の端部（２１８）が、１つのノッチ（５０２）を画定する、請求項３に記載の圧力センサ（２００）。
【請求項５】
前記第１の端部（２１８）が、複数のノッチ（５０２）を画定する、請求項３に記載の圧力センサ（２００）。
【請求項６】
前記複数のノッチ（４１４）が、複数のＶ字形ノッチ（５０２）である、請求項５に記載の圧力センサ（２００）。
【請求項７】
前記複数のノッチ（４１４）が、半径方向に延びる複数のチャネル（５０２）である、請求項５または６に記載の圧力センサ（２００）。
【請求項８】
前記少なくとも１つのノッチ（４１４）が、前記少なくとも１つの流体流路（２３２，２３３）への入口である、請求項３から７のいずれか一項に記載の圧力センサ（２００）。
【請求項９】
前記ねじ部（３０６）が、ねじ山内径（３３６）およびねじ山外径（４０８）を画定し、前記ねじ山外径（４０８）と前記ねじ山径（３３６）との間の容積部（２３２，２３３）が、前記少なくとも１つの流体流路（２３２，２３３）を部分的に画定するように、前記ねじ山外径（４０８）が、前記ねじ山径（３３６）よりも大きい、請求項３から８のいずれか一項に記載の圧力センサ（２００）。
【請求項１０】
前記ねじ部（３０６）が、ねじ無し部（４１０）およびねじ無し径（４１２）を画定し、前記ねじ無し径（４１２）と前記シャンク径（３１６）との間の容積部（４１７）が、前記少なくとも１つの流体流路（２３２，２３３）を部分的に画定するように、前記ねじ無し径（４１２）が、前記シャンク径（３１６）よりも大きい、請求項３から９のいずれか一項に記載の圧力センサ（２００）。
【請求項１１】
変換器（２０２）、
開口部（２３０）を画定する第１の端部（２１８）および中のねじ部（３０６）を有する継手（２０４）であって、前記ねじ部（３０６）が、内面（４０２）および前記内面（４０２）に配置された螺旋状めねじ山（４０４）を含む、継手（２０４）、ならびに
前記継手（２０４）の前記開口部（２３０）内に配置された緩衝器（２０６）、
を備える圧力センサ（２００）であって、前記緩衝器（２０６）が、
少なくとも１つのノッチ（４１４）を画定するヘッド部（３０２）、
前記ヘッド部（３０２）に取り付けられたシャンク部（３０４）であって、シャンク径（３１６）を画定するシャンク部（３０４）、ならびに
前記シャンク部（３０４）に取り付けられたねじ部（３０６）であって、前記ねじ部（３０６）が、中心シャフト（３２２）の周りに巻かれた螺旋状おねじ山（３２４）を含み、前記螺旋状おねじ山（３２４）が、ねじ山径（３３６）を画定し、前記中心シャフト（３２２）が、中心シャフト径（３２６）を画定する、ねじ部（３０６）、
を備え、前記緩衝器（２０６）が前記継手（２０４）内に取り付けられたときに、前記ノッチ（４１４）、前記シャンク部（３０４）、および前記ねじ部（３０６）が、少なくとも１つの流体流路（２３２，２３３）を画定するように、前記シャンク径（３１６）、前記ねじ山径（３３６）、および前記中心シャフト径（３２６）が決められている、圧力センサ（２００）。
【請求項１２】
前記ヘッド部（３０２）が、複数のノッチ（４１４）を画定する、請求項１１に記載の圧力センサ（２００）。
【請求項１３】
前記ヘッド部（３０２）が、１つのノッチ（４１４）を画定する、請求項１１に記載の圧力センサ（２００）。
【請求項１４】
前記ノッチ（４１４）が、長方形のノッチ（４１４）である、請求項１３に記載の圧力センサ（２００）。
【請求項１５】
前記ノッチ（４１４）が、前記シャンク部（３０４）の方へ半径方向内側に延びる、請求項１３または１４に記載の圧力センサ（２００）。
【請求項１６】
前記少なくとも１つのノッチ（４１４）が、前記少なくとも１つの流体流路（２３２，２３３）への入口である、請求項１１から１５のいずれか一項に記載の圧力センサ（２００）。
【請求項１７】
前記ねじ部（３０６）が、ねじ山内径（３３６）およびねじ山外径（４０８）を画定し、前記ねじ山外径（４０８）と前記ねじ山径（３３６）との間の容積部（２３２，２３３）が、前記少なくとも１つの流体流路（２３２，２３３）を部分的に画定するように、前記ねじ山外径（４０８）が、前記ねじ山径（３３６）よりも大きい、請求項１１から１６のいずれか一項に記載の圧力センサ（２００）。
【請求項１８】
前記ねじ部（３０６）が、ねじ無し部（４１０）およびねじ無し径（４１２）を画定し、前記ねじ無し径（４１２）と前記シャンク径（３１６）との間の容積部（４１７）が、前記少なくとも１つの流体流路（２３２，２３３）を部分的に画定するように、前記ねじ無し径（４１２）が、前記シャンク径（３１６）よりも大きい、請求項１１から１７のいずれか一項に記載の圧力センサ（２００）。
【請求項１９】
変換器（２０２）および前記変換器（２０２）に結合された継手（２０４）を含む圧力センサ（２００）から空気をパージする方法（８００）であって、前記方法（８００）が、
前記継手（２０４）のねじ部（３０６）を流体で満たすこと（８０２）と、
ヘッド部（３０２）、シャンク部（３０４）、およびねじ部（３０６）を含む緩衝器（２０６）であって、前記ヘッド部（３０２）が、少なくとも１つのノッチ（４１４）を画定する、緩衝器（２０６）を、前記ねじ部（３０６）に挿入すること（８０４）と、
を含み、前記緩衝器（２０６）が前記継手（２０４）内に挿入されたときに、前記ノッチ（４１４）、前記シャンク部（３０４）、および前記ねじ部（３０６）が、少なくとも１つの流体流路（２３２，２３３）を画定する、方法（８００）。
【請求項２０】
変換器（２０２）内の圧力スパイクを減少させる方法（９００）であって、前記方法（９００）が、
変換器（２０２）、前記変換器（２０２）に結合された継手（２０４）、および前記継手（２０４）内に配置された緩衝器（２０６）を含む圧力センサ（２００）であって、前記継手（２０４）が、その中にねじ部（３０６）を有し、前記緩衝器（２０６）が、ヘッド部（３０２）、シャンク部（３０４）、およびねじ部（３０６）を含み、前記ヘッド部（３０２）が、少なくとも１つのノッチ（４１４）を画定し、前記シャンク部（３０４）、および前記ねじ部（３０６）が、前記緩衝器（２０６）が前記継手（２０４）内に挿入されたときに、少なくとも１つの流体流路（２３２，２３３）を画定する、圧力センサ（２００）を、流体システムに結合すること（９０２）と、
流体の流れを前記少なくとも１つの流体流路（２３２，２３３）に導くこと（９０４）と、
前記流体の前記流れの圧力を前記圧力センサ（２００）で測定すること（９０６）と、
を含み、前記少なくとも１つの流体流路（２３２，２３３）が、前記流体の前記流れの圧力スパイクを減少させる、方法（９００）。
【請求項２１】
前記ヘッド部（３０２）が、複数のノッチ（４１４）を画定する、請求項２０に記載の方法（９００）。
【請求項２２】
前記ヘッド部（３０２）が、１つのノッチ（４１４）を画定する、請求項２０に記載の方法（９００）。
【請求項２３】
前記ノッチ（４１４）が、長方形のノッチ（４１４）である、請求項２２に記載の方法（９００）。
【請求項２４】
前記ノッチ（４１４）が、前記シャンク部（３０４）の方へ半径方向内側に延びる、請求項２２に記載の方法（９００）。
【請求項２５】
前記少なくとも１つのノッチ（４１４）が、前記少なくとも１つの流体流路（２３２，２３３）への入口である、請求項２０から２４のいずれか一項に記載の方法（９００）。
【請求項２６】
前記ねじ部（３０６）が、ねじ山内径（３３６）およびねじ山外径（４０８）を画定し、前記ねじ山外径（４０８）と前記ねじ山径（３３６）との間の容積部が、前記少なくとも１つの流体流路（２３２，２３３）を部分的に画定するように、前記ねじ山外径（４０８）が、前記ねじ山径（３３６）よりも大きい、請求項２０から２５のいずれか一項に記載の方法（９００）。
【請求項２７】
前記ねじ部（３０６）が、ねじ無し部（４１０）およびねじ無し径（４１２）を画定し、前記ねじ無し径（４１２）とシャンク径（３１６）との間の容積部が、前記少なくとも１つの流体流路（２３２，２３３）を部分的に画定するように、前記ねじ無し径（４１２）が、前記シャンク径（３１６）よりも大きい、請求項２０から２６のいずれか一項に記載の方法（９００）。
【請求項２８】
変換器（２０２）および前記変換器（２０２）に結合された継手（２０４）を含む圧力センサ（２００）を流体システムに取り付ける方法（１０００）であって、
前記継手（２０４）のねじ部（３０６）を流体で満たすこと（１００２）と、
ヘッド部（３０２）、シャンク部（３０４）、およびねじ部（３０６）を含む緩衝器（２０６）であって、前記ヘッド部が、少なくとも１つのノッチを画定し、前記ノッチ（４１４）、前記シャンク部（３０４）、および前記ねじ部（３０６）が、前記緩衝器（２０６）が前記継手（２０４）内に挿入されたときに、少なくとも１つの流体流路（２３２，２３３）を画定する、緩衝器（２０６）を、前記ねじ部（３０６）に挿入すること（１００６）と、
前記圧力センサ（２００）を流体システムに結合すること（１００８）と、
を含む方法（１０００）。
【発明の詳細な説明】
【技術分野】
【０００１】
［０００１］本開示の分野は、一般に、流体流システムに関し、より具体的には、螺旋状圧力緩衝器のためのシステムおよび方法に関する。
【背景技術】
【０００２】
［０００２］少なくともいくつかの既知の航空機は、流体、典型的には空気または水を航空機内の複数の場所に導くための流体システム、典型的には液圧または空気圧システムを含む。例えば、航空機は、典型的には、液圧流体、典型的には液圧油または水を航空機の少なくとも着陸装置に導いて着陸装置を制御および作動させる液圧システムを含む。液圧流体は、高圧に維持され、少量の流体で大きな力を伝達できる。液圧システムの圧力の変化により、着陸装置が制御および作動される。液圧システムは、液圧流体の圧力を監視するように構成された複数の圧力変換器を含む。液圧システムは、液圧システム内の液圧流体の圧力と運動を制御するバルブおよび／または流体駆動機器などの複数の液圧機構を、さらに含む。バルブの開閉および／または液圧システム内の他の液圧機構の使用により、システム内で過渡的圧力スパイクが発生する場合がある。
【０００３】
［０００３］このセクションは、以下で説明および／または請求される本開示の様々な態様に関連する可能性のある技術の様々な態様を読者に紹介することを、意図している。この議論は、読者に背景情報を提供して、本開示の様々な態様のより良い理解を促進するのに役立つと、考えられている。したがって、これらの記述はこの観点で読まれるべきであり、従来技術の承認として読まれるべきではないことを、理解されたい。
【発明の概要】
【０００４】
［０００４］本開示の一態様は、ヘッド部、シャンク部、およびねじ部を含む緩衝器を含む。シャンク部は、ヘッド部に取り付けられており、シャンク部は、シャンク径を画定する。ねじ部は、シャンク部に取り付けられており、ねじ部は、中心シャフトの周りに巻かれた螺旋状おねじ山を含む。螺旋状おねじ山は、ねじ山径を画定し、中心シャフトは、中心シャフト径を画定する。緩衝器が圧力センサに取り付けられたときに、シャンク部とねじ部が少なくとも１つの流体流路を画定するように、シャンク径とねじ山径が決められている。
【０００５】
［０００５］本開示の別の態様は、変換器、継手、および緩衝器を含む圧力センサを含む。継手は、開口部を画定する第１の端部と、その中のねじ部とを有する。継手は、変換器に結合されている。ねじ部は、内面と、内面に配置された螺旋状めねじ山とを含む。第１の端部は、少なくとも１つのノッチを、さらに画定する。緩衝器は、ねじ部の開口部内に配置されており、ヘッド部、シャンク部、およびねじ部を含む。シャンク部は、ヘッド部に取り付けられており、シャンク径を画定する。ねじ部は、シャンク部に取り付けられており、中心シャフトの周りに巻かれた螺旋状おねじ山を含む。螺旋状おねじ山は、ねじ山径を画定し、中心シャフトは、中心シャフト径を画定する。緩衝器が継手に取り付けられたときに、ノッチ、シャンク部、およびねじ部が少なくとも１つの流体流路を画定するように、シャンク径、ねじ山径、および中心シャフト径が決められている。
【０００６】
［０００６］本開示のさらに別の態様は、変換器、継手、および緩衝器を含む圧力センサを含む。継手は、開口部を画定する第１の端部と、その中のねじ部とを有する。継手は、変換器に結合されている。ねじ部は、内面と、内面に配置された螺旋状めねじ山とを含む。緩衝器は、ねじ部の開口部内に配置されており、ヘッド部、シャンク部、およびねじ部を含む。ヘッド部は、少なくとも１つのノッチを画定する。シャンク部は、ヘッド部に取り付けられており、シャンク径を画定する。ねじ部は、シャンク部に取り付けられており、中心シャフトの周りに巻かれた螺旋状おねじ山を含む。螺旋状おねじ山は、ねじ山径を画定し、中心シャフトは、中心シャフト径を画定する。緩衝器が継手に取り付けられたときに、ノッチ、シャンク部、およびねじ部が少なくとも１つの流体流路を画定するように、シャンク径、ねじ山径、および中心シャフト径が決められている。
【０００７】
［０００７］本開示のさらに別の態様は、圧力センサから空気をパージする方法を含む。圧力センサは、変換器と、変換器に結合された継手とを含む。この方法は、変換器と継手とを含む圧力センサを提供することを含む。継手は、開口部を画定する第１の端部と、その中のねじ部とを有する。ねじ部は、内面と、内面に配置された螺旋状めねじ山とを含む。この方法は、継手のねじ部を流体で満たすことを、さらに含む。この方法は、緩衝器をねじ部に挿入することを、さらに含む。緩衝器は、ヘッド部、シャンク部、およびねじ部を含む。シャンク部は、ヘッド部に取り付けられている。ヘッド部は、ノッチを画定する。シャンク部は、シャンク径を画定する。ねじ部は、シャンク部に取り付けられており、中心シャフトの周りに巻かれた螺旋状おねじ山を含む。螺旋状おねじ山は、ねじ山径を画定し、中心シャフトは、中心シャフト径を画定する。緩衝器が継手に挿入されたときに、ノッチ、シャンク部、およびねじ部が少なくとも１つの流体流路を画定するように、シャンク径、ねじ山径、および中心シャフト径が決められている。
【０００８】
［０００８］本開示のさらに別の態様は、変換器内の圧力スパイクを減少させる方法を含む。この方法は、圧力センサを流体システムに結合することを含む。圧力センサは、変換器、変換器に結合された継手、および継手内に配置された緩衝器を含む。継手は、開口部を画定する第１の端部と、その中のねじ部とを有する。ねじ部は、内面と、内面に配置された螺旋状めねじ山とを含む。緩衝器は、ヘッド部、シャンク部、およびねじ部を含む。シャンク部は、ヘッド部に取り付けられており、ヘッド部は、ノッチを画定する。シャンク部は、シャンク径を画定する。ねじ部は、シャンク部に取り付けられており、中心シャフトの周りに巻かれた螺旋状おねじ山を含む。螺旋状おねじ山は、ねじ山径を画定し、中心シャフトは、中心シャフト径を画定する。緩衝器が継手に挿入されたときに、ノッチ、シャンク部、およびねじ部が少なくとも１つの流体流路を画定するように、シャンク径、ねじ山径、および中心シャフト径が決められている。この方法は、流体の流れを少なくとも１つの流体流路に導くことを、さらに含む。この方法は、圧力センサで流体の流れの圧力を測定することを、さらに含む。少なくとも１つの流体流路は、流体の流れの圧力スパイクを減少させる。
【０００９】
［０００９］本開示のさらに別の態様は、流体システムに圧力センサを取り付ける方法を含む。圧力センサは、変換器と、変換器に結合された継手とを含む。この方法は、変換器と継手とを含む圧力センサを提供することを含む。継手は、開口部を画定する第１の端部と、その中のねじ部とを有する。ねじ部は、内面と、内面に配置された螺旋状めねじ山とを含む。この方法は、継手のねじ部を流体で満たすことを、さらに含む。この方法は、緩衝器をねじ部に挿入することを、さらに含む。緩衝器は、ヘッド部、シャンク部、およびねじ部を含む。シャンク部は、ヘッド部に取り付けられており、ヘッド部は、ノッチを画定する。シャンク部は、シャンク径を画定する。ねじ部は、シャンク部に取り付けられている。ねじ部は、中心シャフトの周りに巻かれた螺旋状おねじ山を含む。螺旋状おねじ山は、ねじ山径を画定し、中心シャフトは、中心シャフト径を画定する。緩衝器が継手に挿入されたときに、ノッチ、シャンク部、およびねじ部が少なくとも１つの流体流路を画定するように、シャンク径、ねじ山径、および中心シャフト径が決められている。この方法は、圧力センサを流体システムに結合することを、さらに含む。
【００１０】
［００１０］上記の態様に関連して言及された特徴の様々な改良が存在する。さらなる特徴が、上記の態様に組み込まれてもよい。これらの改良と追加の特徴は、個別にまたは任意の組み合わせで存在することができる。例えば、例示された実施形態のいずれかに関連して以下で議論される様々な特徴は、単独でまたは任意の組み合わせで、上述の態様のいずれかに組み込まれてよい。
【図面の簡単な説明】
【００１１】
【図１】例示的な乗り物の側面図である。
【図２】図１に示される乗り物で使用される圧力センサの側面概略図である。
【図３】図１に示される乗り物で使用される圧力センサの分解斜視図である。
【図４】図２に示される圧力センサで使用される緩衝器の側面図である。
【図５】図２に示される圧力センサの部分断面図である。
【図６】図２に示される圧力センサで使用される継手の端部の斜視図である。
【図７】図６に示される継手の端部の概略図である。
【図８】図２に示される圧力センサによって測定された圧力のプロットである。
【図９】変換器から空気をパージする方法の実施形態のフロー図である。
【図１０】変換器内の圧力スパイクを減少させる方法の実施形態のフロー図である。
【図１１】流体システムに変換器を取り付ける方法の実施形態のフロー図である。
【発明を実施するための形態】
【００１２】
［００２２］様々な実施形態の特定の特徴が、いくつかの図面に示されており、他の図面には示されていない場合があるが、これは便宜上のためだけである。任意の図面の任意の特徴が、任意の他の図面の任意の特徴と組み合わせて参照および／または主張することができる。
【００１３】
［００２３］特に明記しない限り、本明細書で提供される図面は、本開示の実施形態の特徴を示すことを意図している。これらの特徴は、本開示の１つ以上の実施形態を含む多種多様なシステムに適用可能であると考えられている。したがって、図面は、本明細書に開示された実施形態の実施に必要であると当業者に知られている全ての従来の特徴を含むことを意図してはいない。
【００１４】
［００２４］本明細書で説明されるシステムおよび方法の実施形態は、圧力センサによって検出される過渡的圧力スパイクを減少させるように構成された緩衝器を含む圧力センサを含む。具体的には、圧力センサは、変換器と、変換器に結合された継手とを、さらに含む。継手は、流体を変換器に導くように構成された、ねじ付き導管を画定する。緩衝器は、ヘッド部およびねじ部を含む。緩衝器が継手に取り付けられたとき、ねじ部およびねじ付き導管は、少なくとも１つの流体流路を画定する。流体流路は、ねじ付き導管よりもかなり小さく、ねじ付き導管よりもかなり大きい圧力降下を有する。したがって、流体流路は、変換器内の過渡的圧力スパイクをかなり減少させ、変換器が流体システムの定常状態圧力を正確に測定できるようにする。したがって、緩衝器は、変換器によって測定される過渡的圧力スパイクを減少させることにより、変換器を保護する。さらに、緩衝器のヘッド部と継手のうちの一方が、流体を流体流路に導くように構成された１つ以上のノッチを画定する。
【００１５】
［００２５］図１は、乗り物１００の側面図である。例示的な実施態様では、乗り物１００は、胴体１０２と、胴体１０２から延びる翼構造１０４とを含む航空機である。胴体１０２および／または翼構造１０４は、内部容積部１０６を画定し、少なくとも１つの流体システム１０８が、内部容積部１０６内に配置される。具体的には、流体システム１０８は、少なくとも１つの流体を、内部容積部１０６を通して乗り物１００の様々な部分に導くように構成された複数のパイプ１１０を含む。例示的な実施態様では、流体システム１０８は、乗り物１００の着陸装置を制御するように構成された液圧流体システムである。例示的な実施態様では、液圧流体は、液圧油である。しかしながら、流体システム１０８は、任意のタイプの流体を導くように構成されてもよく、乗り物１００の任意の部分を制御するように構成されてもよい。
【００１６】
［００２６］図２は、流体システム１０８と共に使用するための圧力センサ２００の概略側面図である。図３は、圧力センサ２００の分解斜視図である。圧力センサ２００は、流体システム１０８に結合されるように構成され、流体システム１０８内の流体の圧力を検出するように構成される。圧力センサ２００は、変換器２０２、継手２０４、および緩衝器２０６を含む。変換器２０２は、流体システム１０８内の流体の圧力を検出するように構成された圧力変換器である。具体的には、変換器２０２は、流体の圧力を検出し、検出された圧力を電気信号に変換するように構成される。電気信号は、流体システム１０８を監視および制御するための、典型的には制御システムである電子システム（図示せず）に送られる。変換器２０２は、変換器２０２内のダイヤフラム２０８の物理的変形によって流体の圧力を検出し、変換器２０２内の電子部品２１０が、変形を検出し、変形に基づいて電子システム（図示せず）に電気信号を送る。変換器２０２は、第１の端部２１２および第２の端部２１４を有する。電気信号を電子システムに送るように構成された電気カップリング２１６が、変換器２０２の第２の端部２１４に結合される。
【００１７】
［００２７］継手２０４は、変換器２０２を流体システム１０８に結合するように構成され、第１の端部２１８および第２の端部２２０を含む。継手２０４の第２の端部２２０は、変換器２０２の第１の端部２１２に結合されている。例示的な実施態様では、継手２０４は、本体部２２２および結合部２２４を含む。結合部２２４は、継手２０４の第２の端部２２０に配置され、本体部２２２を変換器２０２に結合するように構成される。具体的には、結合部２２４は、変換器２０２を継手２０４に取り付けて保持するように構成されたねじ山（図示せず）を含む。図示された実施態様では、結合部２２４は、六角ナットである。しかしながら、結合部２２４は、本体部２２２を変換器２０２に結合する任意の留め具であってよい。例示的な実施態様では、本体部２２２は、変換器２０２を流体システム１０８に迅速に接続するように構成された迅速接続継手である。具体的には、本体部２２２は、流体システム１０８の対応する継手（図示せず）が継手２０４を流体システム１０８に迅速に結合させることができるように構成された形状の外面２２６を含む円筒形継手である。しかしながら、本体部２２２は、圧力センサ２００が本明細書に記載されるように動作することを可能にする任意のタイプの継手であってよく、ねじ付き継手を含むが、これに限定されない。第１の端部２１８は、外側溝２２１を画定し、シール２２３が、継手２０４の周りを囲み、外側溝２２１内に配置される。本体部２２２は、流体を変換器２０２に導くように構成された導管２２８を画定する。具体的には、本体部２２２の第１の端部２１８は、第１の開口部２３０を画定し、本体部２２２の第２の端部２２０は、第２の開口部（図示せず）を画定する。導管２２８は、第１の開口部２３０から第２の開口部まで延びている。
【００１８】
［００２８］緩衝器２０６が、導管２２８内に配置され、圧力センサ２００内の過渡的圧力スパイクを減少させるように構成される。具体的には、緩衝器２０６は、流体システム１０８内の最大過渡的圧力スパイクが変換器２０２に伝達されないように、流体システム１０８内の流体が変換器２０２に及ぼす圧力を減衰させるように構成される。具体的には、以下で説明するように、緩衝器２０６および本体部２２２は、導管２２８内に少なくとも１つの流体流路または減衰導管２３２および２３３（図４に示す）を画定する。流体流路２３２および２３３は、導管２２８よりもかなり小さいので、流体システム１０８内の流体の過渡的圧力は、変換器２０２に到達する前に減少または減衰する。しかしながら、流体流路２３２および２３３は、流体システム１０８内の流体の定常状態圧力が変換器２０２によって正確に決定されるように構成される。したがって、緩衝器２０６は、流体システム１０８内の流体の定常状態圧力を正確に決定しながら、流体システム１０８内の流体の過渡的圧力を減少させる。
【００１９】
［００２９］動作中、変換器２０２は、継手２０４に結合され、緩衝器２０６は、継手２０４の導管２２８内に配置される。継手２０４は、流体が流体流路２３２および２３３に導かれるように、流体システム１０８に結合される。緩衝器２０６が、流体システム１０８内の流体により及ぼされる過渡的圧力を減少させ、変換器２０２を保護している間に、変換器２０２は、流体システム１０８内の流体の圧力を決定する。
【００２０】
［００３０］図４は、図２に示される圧力センサ２００で使用するための緩衝器２０６の例示的な実施態様の側面図である。緩衝器２０６は、ヘッド部３０２、シャンク部３０４、およびねじ部３０６を含む。ヘッド部３０２は、第１の端部３０８および第２の端部３１０を含み、典型的にはねじ回しであるツール（図示せず）が緩衝器２０６を回転させることができるように構成された駆動用凹部（図示せず）を第１の端部３０８に画定する。シャンク部３０４は、第１の端部３１２および第２の端部３１４を含み、シャンク部３０４の第１の端部３１２は、ヘッド部３０２の第２の端部３１０に結合される。シャンク部３０４は、ヘッド部３０２をねじ部３０６に結合するように構成された円筒形シャフトである。シャンク部３０４は、シャンク径３１６を画定する。ねじ部３０６は、第１の端部３１８および第２の端部３２０を含み、ねじ部３０６の第１の端部３１８は、シャンク部３０４の第２の端部３１４に結合される。ねじ部３０６は、中心シャフト３２２および螺旋状おねじ山３２４を、さらに含む。中心シャフト３２２は、中心シャフト径３２６を画定し、外面３２８を有する。螺旋状おねじ山３２４は、中心シャフト３２２の外面３２８の周りに巻かれた螺旋状ねじ山である。螺旋状おねじ山３２４は、山頂部３３０、螺旋状おねじ山角度３３２、螺旋状おねじピッチ３３４、および螺旋状おねじ谷３３５を画定する隆起した螺旋状リッジである。山頂部３３０は、ねじ山径３３６を画定し、ねじ部３０６は、ねじ長さ３３８を画定する。シャンク径３１６は、螺旋状おねじ山３２４の隣接部分間の螺旋状おねじ谷３３５を画定する。シャンク径３１６およびねじ山径３３６は、緩衝器２０６が圧力センサ２００に取り付けられたときに、シャンク部３０４およびねじ部３０６が流体流路２３２および２３３を画定するように、決められている。
【００２１】
［００３１］図２に示すように、例示的な実施態様では、緩衝器２０６は、ヘッド部３０２の第２の端部３１０が継手２０４の第１の端部２１８と同一平面になるように、導管２２８内に配置される。したがって、流体を流体流路２３２および２３３に導くために、１つ以上のノッチ４１４（図５に示す）、５０２（図６に示す）が、それぞれ、ヘッド部３０２の第２の端部３１０または継手２０４の第１の端部２１８のうちの少なくとも一方に画定され、流体を流体システム１０８から流体流路２３２および２３３に導くように構成されている。具体的には、図５に示すように、ノッチ４１４が、ヘッド部３０２の第２の端部３１０に画定され、流体を流体流路２３２および２３３に導くように構成される。図６および図７に示すように、ノッチ５０２が、継手２０４の第１の端部２１８に画定され、流体を流体流路２３２および２３３に、ならびに圧力センサ２００に導くように構成される。
【００２２】
［００３２］図５は、図２に示される圧力センサ２００の部分断面図である。導管２２８は、内面４０２と、内面４０２に配置された螺旋状めねじ山４０４とを含む。螺旋状めねじ山４０４は、ねじ山内径４０６およびねじ山外径４０８を画定する。螺旋状めねじ山４０４は、螺旋状めねじピッチ４０５、螺旋状めねじ山角度４０７、および螺旋状めねじ長さ４０９を画定する。導管２２８はまた、ねじ無し径４１２を画定するねじ無し部４１０を画定する。螺旋状めねじ山４０４は、緩衝器２０６のねじ部３０６を受け入れるように構成され、ねじ無し部４１０は、緩衝器２０６のシャンク部３０４を受け入れるように構成される。例示的な実施態様では、少なくとも１つのノッチ４１４が、上述のように、ヘッド部３０２の第２の端部３１０に画定される。代替の実施態様では、複数のノッチ４１４が、ヘッド部３０２の第２の端部３１０に画定されてもよく、またはノッチ５０２のみが使用されてもよい。図示の実施態様では、ノッチ４１４は、シャンク部３０４の方へ半径方向内側に延びる長方形のノッチである。ノッチ４１４、シャンク部３０４、ねじ無し部４１０、螺旋状めねじ山４０４、螺旋状おねじ谷３３５、および螺旋状おねじ山３２４は、流体流路２３２および２３３を画定するように構成される。
【００２３】
［００３３］具体的には、ノッチ４１４、シャンク部３０４、ねじ無し部４１０、螺旋状めねじ山４０４、螺旋状おねじ谷３３５、および螺旋状おねじ山３２４は、第１の流体流路２３２および第２の流体流路２３３を画定するように構成される。第１の流体流路２３２は、第１の流体流路２３２が螺旋状おねじ谷３３５内に配置されるように、ノッチ４１４、シャンク部３０４、ねじ無し部４１０、螺旋状めねじ山４０４、および螺旋状おねじ谷３３５によって画定される。第２の流体流路２３３は、第２の流体流路２３３が山頂部３３０に配置されるように、ノッチ４１４、シャンク部３０４、ねじ無し部４１０、および螺旋状おねじ山３２４によって画定される。図示の実施態様では、第１の流体流路２３２および第２の流体流路２３３が、中心シャフト３２２の周りに二重螺旋構成を有するように、ノッチ４１４、シャンク部３０４、ねじ無し部４１０、螺旋状めねじ山４０４、螺旋状おねじ谷３３５、および螺旋状おねじ山３２４は、第１の流体流路２３２および第２の流体流路２３３を画定する。２つの流体流路は、第１の流体流路２３２および第２の流体流路２３３の一方が塞がれた場合に備えて、冗長経路を提供する。
【００２４】
［００３４］より具体的には、ノッチ４１４および継手２０４の第１の端部２１８が、流体流路２３２および２３３の入口４１６を画定する。シャンク部３０４およびねじ無し部４１０が、流体流路２３２および２３３の第２の部分４１７を画定する。具体的には、ねじ無し径４１２は、シャンク径３１６より大きく、シャンク部３０４とねじ無し部４１０との間の容積部が、流体流路２３２および２３３の第２の部分４１７を画定する。螺旋状めねじ山４０４および螺旋状おねじ山３２４が、流体流路２３２および２３３のねじ山部分４１８を画定する。具体的には、ねじ山内径４０６は、中心シャフト径３２６よりも大きく、ねじ山外径４０８は、ねじ山径３３６よりも大きい。螺旋状おねじ山角度３３２は、螺旋状めねじ山角度４０７に概ね一致し、螺旋状おねじピッチ３３４は、螺旋状めねじピッチ４０５に概ね一致する。したがって、ねじ山内径４０６と中心シャフト径３２６の間の容積部、およびねじ山外径４０８とねじ山径３３６の間の容積部は、流体流路２３２および２３３のねじ山部分４１８を画定する。図５に示されるように、流体流路２３２および２３３は、導管２２８よりもかなり小さい容積を有する。
【００２５】
［００３５］動作中、流体は、流体システム１０８から流体流路２３２および２３３の入口４１６に導かれ、流体流路２３２および２３３の入口４１６は、流体を流体流路２３２および２３３の第２の部分４１７に導く。次に、流体流路２３２および２３３の第２の部分４１７は、流体を流体流路２３２および２３３のねじ山部分４１８に導き、ねじ山部分４１８は、流体を変換器２０２に導く。図５に示されるように、流体流路２３２および２３３は、導管２２８よりも容積がかなり小さく、緩衝器２０６がない導管２２８を通る流れよりも流体流路２３２および２３３を通る流れに対して、より大きな抵抗を与える。流体の流れに対する抵抗が増加すると、流体流路２３２および２３３を通った圧力降下もまた増加する。流体流路２３２および２３３を通った圧力降下の増加は、流体が流体流路２３２および２３３を通って流れるときに流体の圧力を低下させることにより、流体流路２３２および２３３内の過渡的圧力スパイクを減少させる。しかしながら、流体流路２３２および２３３は、流体流路２３２および２３３内の静的な流体を可能にし、したがって、流体の定常状態圧力が、流体流路２３２および２３３を通って変換器２０２に伝達される。したがって、流体流路２３２および２３３は、定常状態圧力を変換器２０２に伝達しながら、過渡的圧力スパイクを減少させる。
【００２６】
［００３６］例示的な実施態様では、螺旋状めねじ長さ４０９とねじ長さ３３８は、概ね等しい。緩衝器２０６が継手２０４に完全に取り付けられると、ねじ部３０６もまた、螺旋状めねじ山４０４に完全に取り付けられる。しかしながら、ねじ部３０６が螺旋状めねじ山４０４に部分的に取り付けられて、流体流路２３２および２３３を短くするように、緩衝器２０６は、継手２０４に部分的に取り付けられてもよい。流体流路２３２および２３３を短くすると、流体流路２３２および２３３を通る流体の流れに対する抵抗が減少し、流体流路２３２および２３３を通った圧力降下が減少する。したがって、継手２０４内の緩衝器２０６の位置を調整することにより、流体流路２３２および２３３内の圧力降下が調整され、流体流路２３２および２３３内で伝達される過渡的圧力スパイクの範囲が増加する。したがって、変換器２０２によって測定される過渡的圧力の範囲は、継手２０４内の緩衝器２０６の位置を調整することによって調整することができ、変換器２０２を保護することができる。
【００２７】
［００３７］図６は、図２に示される圧力センサ２００で使用される継手２０４の第１の端部２１８の斜視図である。図７は、図６に示される継手２０４の第１の端部２１８の概略図である。ヘッド部３０２の第２の端部３１０に画定されたノッチ４１４ではなく、またはそれに加えて、１つ以上のノッチ５０２が、継手２０４の第１の端部２１８に画定されている。例示的な実施態様では、複数のノッチ５０２が、継手２０４の第１の端部２１８に画定されている。図示の実施態様では、ノッチ５０２は、継手２０４の第１の端部２１８に画定された半径方向に延びるチャネルであり、流体を流体流路２３２および２３３に導くように構成される。しかしながら、ノッチ５０２は、圧力センサ２００が本明細書で説明されるように動作することを可能にする、継手２０４の第１の端部２１８における任意の構成を有することができる。さらに、図示された実施態様では、ノッチ５０２は、Ｖ字形を画定し、ノッチ角度５０４およびノッチ深さ５０６を有する。ノッチ５０２およびヘッド部３０２の第２の端部３１０は、流体流路２３２および２３３の追加または代替の入口５０８を画定する。動作中、流体は、流体流路２３２および２３３の入口５０８に導かれ、流体流路２３２および２３３の入口５０８は、上記のように、流体を流体流路２３２および２３３の第２の部分４１７およびねじ山部分４１８に導く。
【００２８】
［００３８］図８は、流体システム１０８の例示的な動作中に図２に示される圧力センサ２００によって測定された圧力のプロット７００である。プロット７００は、時間の単位を表示するｘ軸７０２と、圧力の単位を表示するｙ軸７０４とを含む。第１の曲線７０６は、緩衝器２０６なしの圧力センサによって測定された圧力をプロットし、第２の曲線７０８は、緩衝器２０６付きの圧力センサ２００によって測定された圧力をプロットする。第１の曲線７０６は、第１の過渡的圧力領域７１０および第１の定常状態圧力領域７１２を含み、第２の曲線７０８は、第２の過渡的圧力領域７１４および第２の定常状態圧力領域７１６を含む。第１の過渡的圧力領域７１０は、第２の過渡的圧力領域７１４よりもかなり高いピーク圧力、すなわち過渡的圧力スパイク、７１８を有し、一方、第１の定常状態圧力領域７１２は、第２の定常状態圧力領域７１６と概ね等しい圧力を有する。したがって、定常状態圧力を正確に測定しながら、緩衝器２０６は、変換器２０２によって測定される過渡的圧力スパイク７１８を減少させる。変換器２０２を損傷しない所定の圧力値よりも低く、ピーク過渡的圧力を低下させることにより、変換器２０２が保護され、変換器２０２の寿命が延びる。
【００２９】
［００３９］変換器２０２、継手２０４、および緩衝器２０６を含む圧力センサ２００を最初に提供することにより、圧力センサ２００は、流体システム１０８に取り付けられる。継手２０４の第２の端部２２０は、変換器２０２の第１の端部２１２に結合されている。導管２２８が、流体システム１０８で使用されるのと同じ流体などの流体で満たされて、空気を導管２２８からパージし、変換器２０２を保護する。螺旋状おねじ山３２４が螺旋状めねじ山４０４と係合して、流体流路２３２および２３３を形成するように、緩衝器２０６が、緩衝器２０６を回転させることによって導管２２８内に配置される。導管２２８から空気をパージするために使用された流体が、流体流路２３２および２３３を占めている。導管２２８内の緩衝器２０６の位置は、流体流路２３２および２３３内の圧力降下を調整するために調整される。継手２０４は、流体システム１０８の対応する継手（図示せず）に取り付けられ、流体システム１０８内と流体連通するように変換器２０２および圧力センサ２００を結合する。
【００３０】
［００４０］図９は、圧力センサから空気をパージする方法８００の一例のフロー図である。圧力センサは、変換器と、変換器に結合された継手とを含む。方法８００は、変換器と継手とを含む圧力センサを提供することを含む。継手は、開口部を画定する第１の端部と、その中のねじ部とを有する。ねじ部は、内面と、内面に配置された螺旋状めねじ山とを含む。方法８００は、継手のねじ部を流体で満たすこと８０２を、さらに含む。方法８００は、緩衝器をねじ部に挿入すること８０４を、さらに含む。緩衝器は、ヘッド部、シャンク部、およびねじ部を含む。シャンク部は、ヘッド部に取り付けられている。ヘッド部は、ノッチを画定する。シャンク部は、シャンク径を画定する。ねじ部は、シャンク部に取り付けられており、中心シャフトの周りに巻かれた螺旋状おねじ山を含む。螺旋状おねじ山は、ねじ山径を画定し、中心シャフトは、中心シャフト径を画定する。緩衝器が継手に挿入されたときに、ノッチ、シャンク部、およびねじ部が流体流路を画定するように、シャンク径、ねじ山径、および中心シャフト径が決められている。
【００３１】
［００４１］図１０は、変換器内の圧力スパイクを減少させる方法９００の一例のフロー図である。方法９００は、圧力センサを流体システムに結合すること９０２を含む。圧力センサは、変換器、変換器に結合された継手、および継手内に配置された緩衝器を含む。継手は、開口部を画定する第１の端部と、その中のねじ部とを有する。ねじ部は、内面と、内面に配置された螺旋状めねじ山とを含む。緩衝器は、ヘッド部、シャンク部、およびねじ部を含む。シャンク部は、ヘッド部に取り付けられており、ヘッド部は、ノッチを画定する。シャンク部は、シャンク径を画定する。ねじ部は、シャンク部に取り付けられており、中心シャフトの周りに巻かれた螺旋状おねじ山を含む。螺旋状おねじ山は、ねじ山径を画定し、中心シャフトは、中心シャフト径を画定する。緩衝器が継手に挿入されたときに、ノッチ、シャンク部、およびねじ部が流体流路を画定するように、シャンク径、ねじ山径、および中心シャフト径が決められている。方法９００は、流体の流れを流体流路に導くこと９０４を、さらに含む。方法９００は、流体の流れの圧力を圧力センサで測定すること９０６を、さらに含む。流体流路は、流体の流れの圧力スパイクを減少させる。
【００３２】
［００４２］図１１は、流体システムに圧力センサを取り付ける方法１０００の一例のフロー図である。圧力センサは、変換器と、変換器に結合された継手とを含む。方法１０００は、変換器と継手とを含む圧力センサを提供することを含む。継手は、開口部を画定する第１の端部と、その中のねじ部とを有する。ねじ部は、内面と、内面に配置された螺旋状めねじ山とを含む。方法１０００は、継手のねじ部を流体で、より具体的には流体システムで使用されるのと同じ流体で、満たすこと１００２を、さらに含む。方法１０００は、緩衝器をねじ部に挿入すること１００４を、さらに含む。緩衝器は、ヘッド部、シャンク部、およびねじ部を含む。シャンク部は、ヘッド部に取り付けられており、ヘッド部は、ノッチを画定する。シャンク部は、シャンク径を画定する。ねじ部は、シャンク部に取り付けられている。ねじ部は、中心シャフトの周りに巻かれた螺旋状おねじ山を含む。螺旋状おねじ山は、ねじ山径を画定し、中心シャフトは、中心シャフト径を画定する。緩衝器が継手に挿入されたときに、ノッチ、シャンク部、およびねじ部が流体流路を画定するように、シャンク径、ねじ山径、および中心シャフト径が決められている。方法１０００は、圧力センサを流体システムに結合すること１００６を、さらに含む。
【００３３】
［００４３］本明細書で説明されるシステムおよび方法の上記の例は、圧力センサによって検出される過渡的圧力スパイクを減少させるように構成された緩衝器を含む圧力センサを含む。具体的には、圧力センサは、変換器と、変換器に結合された継手とを、さらに含む。継手は、流体を変換器に導くように構成された、ねじ付き導管を画定する。緩衝器は、ヘッド部およびねじ部を含む。緩衝器が継手に取り付けられたとき、ねじ部およびねじ付き導管は、流体流路を画定する。流体流路は、ねじ付き導管よりもかなり小さく、ねじ付き導管よりもかなり大きい圧力降下を有する。したがって、流体流路は、変換器内の過渡的圧力スパイクをかなり減少させ、変換器が流体システムの定常状態圧力を正確に測定できるようにする。したがって、緩衝器は、変換器によって測定される過渡的圧力スパイクを減少させることにより、変換器を保護する。さらに、緩衝器のヘッド部と継手のうちの一方が、流体を流体流路に導くように構成された１つ以上のノッチを画定する。
【００３４】
［００４４］さらに、本開示は、以下の条項による例を含む。
【００３５】
条項１
ヘッド部；ヘッド部に取り付けられたシャンク部であって、シャンク径を画定するシャンク部；ならびにシャンク部に取り付けられたねじ部であって、ねじ部は、中心シャフトの周りに巻かれた螺旋状おねじ山を含み、螺旋状おねじ山は、ねじ山径を画定し、中心シャフトは、中心シャフト径を画定し、シャンク径およびねじ山径は、緩衝器が圧力センサに取り付けられたときに、シャンク部とねじ部が少なくとも１つの流体流路を画定するような大きさの径である、ねじ部、を備える緩衝器。
【００３６】
条項２
ヘッド部が、流体の流れを少なくとも１つの流体流路に導くように構成されたノッチを画定する、条項１の緩衝器。
【００３７】
条項３
変換器；開口部を画定する第１の端部および中のねじ部を有する継手であって、継手は変換器に結合され、ねじ部は内面および内面に配置された螺旋状めねじ山を含み、第１の端部は少なくとも１つのノッチをさらに画定する、継手；ならびにねじ部の開口部内に配置された緩衝器であって、緩衝器は、ヘッド部；ヘッド部に取り付けられたシャンク部であって、シャンク径を画定するシャンク部；ならびにシャンク部に取り付けられたねじ部であって、ねじ部は、中心シャフトの周りに巻かれた螺旋状おねじ山を含み、螺旋状おねじ山は、ねじ山径を画定し、中心シャフトは中心シャフト径を画定し、シャンク径、ねじ山径、および中心シャフト径は、緩衝器が継手に取り付けられたときに、ノッチ、シャンク部、およびねじ部が少なくとも１つの流体流路を画定するような大きさの径である、ねじ部、を備える緩衝器、を備える圧力センサ。
【００３８】
条項４
第１の端部が、１つのノッチを画定する、条項３の圧力センサ。
【００３９】
条項５
第１の端部が、複数のノッチを画定する、条項３の圧力センサ。
【００４０】
条項６
複数のノッチは、複数のＶ字形ノッチである、条項５の圧力センサ。
【００４１】
条項７
複数のノッチは、半径方向に延びる複数のチャネルである、条項５または６の圧力センサ。
【００４２】
条項８
少なくとも１つのノッチが、少なくとも１つの流体流路への入口である、条項３または４の圧力センサ。
【００４３】
条項９
ねじ部が、ねじ山内径およびねじ山外径を画定し、ねじ山外径とねじ山径との間の容積部が、少なくとも１つの流体流路を部分的に画定するように、ねじ山外径が、ねじ山径よりも大きい、条項３から８のいずれかの圧力センサ。
【００４４】
条項１０
ねじ部が、ねじ無し部およびねじ無し径を画定し、ねじ無し径とシャンク径との間の容積部が、少なくとも１つの流体流路を部分的に画定するように、ねじ無し径が、シャンク径よりも大きい、条項３から９のいずれかの圧力センサ。
【００４５】
条項１１
変換器；開口部を画定する第１の端部および中のねじ部を有する継手であって、ねじ部は内面および内面に配置された螺旋状めねじ山を含む、継手；ならびに継手の開口部内に配置された緩衝器であって、緩衝器は、少なくとも１つのノッチを画定するヘッド部；ヘッド部に取り付けられたシャンク部であって、シャンク径を画定するシャンク部；ならびにシャンク部に取り付けられたねじ部であって、ねじ部は、中心シャフトの周りに巻かれた螺旋状おねじ山を含み、螺旋状おねじ山は、ねじ山径を画定し、中心シャフトは中心シャフト径を画定し、シャンク径、ねじ山径、および中心シャフト径は、緩衝器が継手に取り付けられたときに、ノッチ、シャンク部、およびねじ部が少なくとも１つの流体流路を画定するような大きさの径である、ねじ部、を備える緩衝器、を備える圧力センサ。
【００４６】
条項１２
ヘッド部が、複数のノッチを画定する、条項１１の圧力センサ。
【００４７】
条項１３
ヘッド部が、１つのノッチを画定する、条項１１の圧力センサ。
【００４８】
条項１４
ノッチが、長方形のノッチである、条項１３の圧力センサ。
【００４９】
条項１５
ノッチが、シャンク部の方へ半径方向内側に延びる、条項１３または１４の圧力センサ。
【００５０】
条項１６
少なくとも１つのノッチが、少なくとも１つの流体流路への入口である、条項１１から１５のいずれかの圧力センサ。
【００５１】
条項１７
ねじ部が、ねじ山内径およびねじ山外径を画定し、ねじ山外径とねじ山径との間の容積部が、少なくとも１つの流体流路を部分的に画定するように、ねじ山外径が、ねじ山径よりも大きい、条項１１から１６のいずれかの圧力センサ。
【００５２】
条項１８
ねじ部が、ねじ無し部およびねじ無し径を画定し、ねじ無し径とシャンク径との間の容積部が、少なくとも１つの流体流路を部分的に画定するように、ねじ無し径が、シャンク径よりも大きい、条項１１から１７のいずれかの圧力センサ。
【００５３】
条項１９
変換器と変換器に結合された継手とを含む圧力センサから空気をパージする方法であって、継手のねじ部を流体で満たすことと、緩衝器をねじ部に挿入することであって、緩衝器は、ヘッド部、シャンク部、およびねじ部を含み、ヘッド部は、少なくとも１つのノッチを画定し、ノッチ、シャンク部、およびねじ部は、緩衝器が継手に挿入されたときに、少なくとも１つの流体流路を画定する、挿入することと、を含む方法。
【００５４】
条項２０
変換器内の圧力スパイクを減少させる方法であって、圧力センサを流体システムに結合することであって、圧力センサは、変換器、変換器に結合された継手、および継手内に配置された緩衝器を含み、継手は、その中にねじ部を有し、緩衝器は、ヘッド部、シャンク部、およびねじ部を含み、ヘッド部は、少なくとも１つのノッチを画定し、シャンク部、およびねじ部は、緩衝器が継手に挿入されたときに、少なくとも１つの流体流路を画定する、結合することと；流体の流れを少なくとも１つの流体流路に導くことと；流体の流れの圧力を圧力センサで測定することであって、少なくとも１つの流体流路が、流体の流れの圧力スパイクを減少させる、測定することと、を含む方法。
【００５５】
条項２１
ヘッド部が、複数のノッチを画定する、条項２０の方法。
【００５６】
条項２２
ヘッド部が、１つのノッチを画定する、条項２０の方法。
【００５７】
条項２３
ノッチが、長方形のノッチである、条項２２の方法。
【００５８】
条項２４
ノッチが、シャンク部の方へ半径方向内側に延びる、条項２２の方法。
【００５９】
条項２５
少なくとも１つのノッチが、少なくとも１つの流体流路への入口である、条項２０から２４のいずれかの方法。
【００６０】
条項２６
ねじ部が、ねじ山内径およびねじ山外径を画定し、ねじ山外径とねじ山径との間の容積部が、少なくとも１つの流体流路を部分的に画定するように、ねじ山外径が、ねじ山径よりも大きい、条項２０から２５のいずれかの方法。
【００６１】
条項２７
ねじ部が、ねじ無し部およびねじ無し径を画定し、ねじ無し径とシャンク径との間の容積部が、少なくとも１つの流体流路を部分的に画定するように、ねじ無し径が、シャンク径よりも大きい、条項２０から２６のいずれかの方法。
【００６２】
条項２８
変換器と変換器に結合された継手とを含む圧力センサを流体システムに取り付ける方法であって、継手のねじ部を流体で満たすことと、緩衝器をねじ部に挿入することであって、緩衝器は、ヘッド部、シャンク部、およびねじ部を含み、ヘッド部は、少なくとも１つのノッチを画定し、ノッチ、シャンク部、およびねじ部は、緩衝器が継手に挿入されたときに、少なくとも１つの流体流路を画定する、挿入することと、圧力センサを流体システムに結合することと、を含む方法。
【００６３】
［００４５］本明細書で説明されるシステムおよび方法は、本明細書で説明される特定の実施形態に限定されるものではなく、むしろ、システムの構成要素および／または方法のステップは、本明細書で説明される他の構成要素および／またはステップから独立して別々に利用することができる。
【００６４】
［００４６］本開示の様々な例の特定の特徴が、いくつかの図面に示されており、他の図面には示されていないかもしれないが、これは便宜上のためだけである。本開示の原理にしたがって、１つの図面の任意の特徴が、他の任意の図面の任意の特徴と組み合わせて参照および／または主張されてもよい。
【００６５】
［００４７］本明細書で使用される場合、単数形で述べられ、単語「ａ」または「ａｎ」で始まる要素またはステップは、除外されることが明示的に述べられていない限り、複数の要素またはステップを除外するものではないと理解されるべきである。さらに、本開示の「一例」または「例」への言及は、述べられた特徴を同様に組み込む追加の例の存在を除外するものとして解釈されることを意図していない。
【００６６】
［００４８］この書面による説明では、例を使用して、最良のモードを含む様々な例を開示し、任意のデバイスまたはシステムを作製および使用すること、ならびに任意の組み込まれた方法を実行することを含んで、当業者がこれらの例を実施できるようにする。特許の範囲は、特許請求の範囲によって画定され、当業者が思いつく他の例を含むことができる。そのような他の例は、特許請求の範囲の文言と異ならない構造要素を持っている場合、または特許請求の範囲の文言と実質的な違いのない同等の構造要素を含む場合、特許請求の範囲の範囲内にあることが意図されている。
【図１】
2020118675.tif 000003
【図２】
2020118675.tif 000004
【図３】
2020118675.tif 000005
【図４】
2020118675.tif 000006
【図５】
2020118675.tif 000007
【図６】
2020118675.tif 000008
【図７】
2020118675.tif 000009
【図８】
2020118675.tif 000010
【図９】
2020118675.tif 000011
【図１０】
2020118675.tif 000012
【図１１】
2020118675.tif 000013
【外国語明細書】
2020118675000001.pdf
2020118675000002.pdf
2020118675000003.pdf
2020118675000004.pdf